(57)【特許請求の範囲】
【請求項１】
コンセント又はスイッチの配線器具取付枠（３）に裏面を当接させて固定される取付補助枠（２）と、この取付補助枠（２）に着脱自在に係合されて取付補助枠（２）を覆う化粧プレート（１）とから成り、
前記取付補助枠（２）は、配線器具（３３）を囲むように縁が廻らせてある額縁形状に形成され、上下の端部には縁に沿った横長の変形孔（２３）がそれぞれ設けられ、当該変形孔（２３）より外側の縁部分が弾力性をもった変形縁（２７）となり、これら上下の変形縁（２７）の外縁部に取付補助枠（２）裏面から表面側へ向うにつれ拡開状となる所定傾斜角度とされた第一のテーパー（２５）を前記変形縁外縁部の略全長にわたって設けられ、
前記化粧プレート（１）は、裏側に前記取付補助枠（２）にかみ合うように陥没形成させた凹状の係合部（１２）があり、係合部（１２）の上下の縁には裏側から表側に向うにつれ拡開状となって取付補助枠の第一のテーパー（２５）とかみ合う傾斜角度となるテーパー（１３）が前記係合部上下縁の略全長にわたって設けられ、
また、前記取付補助枠（２）における上下の変形縁（２７）のうち、外縁部の取付補助枠表面寄り部分に、前記第一のテーパー（２５）と傾斜が逆向きとなる第二のテーパー（２４）を設け、当該第二のテーパー（２４）と取付補助枠表面との交線となる角部（Ｃ）の上下間隔を、化粧プレート係合部（１２）の上下縁（Ｄ）間の間隔よりも短くし、
さらに、前記取付補助枠（２）の厚み（Ｄ１）を、化粧プレート裏側の係合部（１２）の陥没深さ（Ｄ２）よりも薄くすると共に、取付補助枠の上下にある第一のテーパー（２５）の先端位置間の長さ（Ｌ１）を、化粧プレートにおける係合部の上下にあるテーパー（１３）の先端位置間の長さ（Ｌ２）と同じにすることを
特徴とする化粧プレートの固定機構。
【発明の詳細な説明】
【技術分野】
【０００１】
本発明は、コンセント又はスイッチを埋設して取付けたときの化粧・保護をするのに用いるプレートの固定機構に関するものである。
【背景技術】
【０００２】
従来、家屋やビルにおけるコンセント又はスイッチ等には化粧プレートが設けられている。また、これらは保護を目的とするだけでなく外面に模様をほどこしたり、材質を陶器や石などを用いることで意匠的な工夫もなされてきた。
【０００３】
しかし、従来の方法では化粧プレートを固定する場合に化粧プレートの表面から捻子を使って固定されていたため、捻子の頭が化粧プレートの表面に露出され、美観が損なわれる原因となっていた。
【０００４】
このことから捻子を表面に露出させない方法は色々考案されている。例えば、化粧プレートの裏面に鈎がついた突起部をつくり、それを金属やプラスチックからなる化粧プレートに引っ掛けて固定させていた。しかし、この方法ではカバー自体に弾力性を求めているため、弾力性の少ない材質では無理が生じる。
そこで、化粧プレートが弾力性のない石などの硬質のもので造られている場合には、特開平7-107640号公報に開示されたものであるが、柔軟性のある取付補助枠を利用することで固定する方法がある。
その方法として、図５のように、化粧プレート５の裏面に突起部５１をつくり、それをプラスチック等の柔軟性のある取付補助枠６に引っ掛けさせて固定させる。しかしこの方法では、化粧プレートに突起部をつくるため、化粧プレートが特に木材などの弾力性が少なく複雑な加工が困難な材質では、加工時や取付け・取り外し時に割れが生じてしまい不向きであり、また、取付補助枠を造営面に取付ける際にアウトレットボックスに配線器具取付枠を固定するための捻子と捻子孔を使用しているので取付補助枠の位置を決定させることに技術が必要となり、一般の人が取付ける場合には困難な作業になっていた。
【０００５】
【特許文献１】特開平7-107640
【発明の開示】
【発明が解決しようとする課題】
【０００６】
本発明は、捻子等を表面に露出させることなく、化粧プレートを容易に配線器具取付枠に固定することができ、且つ、木材や陶器などのわれやすい材質の化粧プレートにも使用することができ、また、化粧プレートに対する加工を単純化させることで生産性を高める化粧プレートとその取付補助枠の開発を目的としたものである。
【課題を解決するための手段】
【０００７】
本発明は化粧プレートとその化粧プレートを自在に配線器具取付枠に着脱させることができる取付補助枠から成り、その取付補助枠は端部に変形孔を設けることでその外側に弾力性をもたせた変形縁を有し、化粧プレートの裏面にテーパーを施し、取付補助枠には逆向きのテーパーを加工することによって弾力性を利用し、ワンタッチで化粧プレートが取付けられ、さらに化粧プレートに対して同じ向きとなるテーパーを取付補助枠に付けて固定することを特徴とするものである。
【発明の効果】
【０００８】
本発明では、上記構成によれば化粧プレートと取付補助枠の２部品にて構成したことにより、化粧プレートを壁面に固定していた捻子の必要性が無くなり、化粧プレートに意匠的な広がりをみることが可能になる。
【０００９】
また、取付補助枠を変形させることによって、化粧プレート自体に弾力性や柔軟性、硬質性を保持させる必要がないため、化粧プレートの材質が限定されない。さらに、化粧プレートへの加工の際に凹凸がなく、単純化されることで、生産性を高められると共に、木材や陶器などの細かい加工をしにくい材質も使用することができるようになるので、従来のプラスチックでは表現できない木の材質感やぬくもりを提供することができ、空間にいっそう統一感をだすことができる。
【発明を実施するための最良の形態】
【００１０】
本発明を実施するための最良の形態を以下の図に示す実施例に基づいて説明する。
【実施例】
【００１１】
以下、本発明の実施例を図面により説明する。
【００１２】
まず、化粧プレートを固定する前の状態を示す図１において、本発明の固定機構は化粧プレート１及び取付補助枠２であり、この固定構造は、化粧プレート１、取付補助枠２、配線器具取付枠３、アウトレットボックス４より構成される。
化粧プレート１は木材等でつくられ、造営面の表面に露出していて、配線器具の保護、化粧するもので、スイッチもしくはコンセント差込口を露出させるための長方形の孔１１が貫通している。取付補助枠２は化粧プレート１を壁面で保持するためのもので、弾性のある材質、例えばプラスチックなどで額縁状に形成されていて、配線器具３３を囲むように縁が廻らせてある。配線器具取付枠３は、スイッチやコンセント差込口を中央に有し、枠は金属またはプラスチックでできている従来から使用されている既製品の建築材料であり、アウトレットボックス４は壁の中に埋め込み固定されているもので、金属またはプラスチックで箱状にできており、これも建築材料として従来から用いられている既製品である。
【００１３】
図２は、化粧プレート１の裏面の状態と取付補助枠２を示すものであり、裏面には取付補助枠２に係合するような凹部分としての係合部１２とマイナスドライバー等が差し込める程度の大きさの差込口１４がある。また、係合部１２の上下の短周縁には、係合部１２の内側へ行くほどくい込みが深くなる傾斜方向、すなわち、化粧プレート裏面側から表面側に向うにつれ拡開状となる傾斜方向にテーパー１３がつけられている。一方、取付補助枠２における上下の短周縁には変形孔２３がつけられ、その外側部分が変形縁２７となる。
【００１４】
図３は、化粧プレート１を取付ける前の化粧プレート１と取付補助枠２の拡大図であり、化粧プレート１のテーパー１３と取付補助枠２の第一のテーパー２５及び第二のテーパー２４との関係を示したものである。第二のテーパー２４は化粧プレート１につけられているテーパー１３とは逆向きにつけられており、このとき、テーパー２４と取付補助枠２における表面との交線となる角部を示す点Ｃは、テーパー１３の末端となる係合部１２の上下縁を示す点Ｄよりも係合部１２の中心寄りになる。すなわち、上下のテーパー２４と取付補助枠２表面との交線となる角部の上下間隔は、化粧プレート係合部１２の上下縁間寸法よりも短くなっており、化粧プレート１を図３のように取付補助枠２に押し付けると、取付補助枠２のテーパー２４に化粧プレート１の点Ｄによって応力が加わる仕組みである。
一方、第一のテーパー２５は化粧プレート１のテーパー１３と同じ向きにつけてあり、このテーパー１３、２５の角度を壁面に対し７５度程度にすると化粧プレート１を取付補助枠２に取り付けやすく、取り付け後もガタついたりすることなく固定させることができる。
また、取付補助枠２の上下テーパーの先端にある頂点間の長さＬ１と化粧プレート１の係合部１２の上下テーパー先端間の長さＬ２は同じ長さになっており、取付補助枠２の厚みＤ１は係合部１２の深さＤ２より薄くなっている。この状態では、配線器具取付枠３は壁の中に固定されているアウトレットボックス４に捻子３４で固定され、取付補助枠２は配線器具取付枠３に捻子２６によって取付けられている。
【００１５】
図４は、アウトレットボックス４と配線器具取付枠３、取付補助枠２、化粧プレート１が壁面に全て取付けられた状態の断面図を示したものである。
次に、このような構成において化粧プレート１を壁面に固定する手順について説明する。
【００１６】
まず、配線器具取付枠３に取付補助枠２で固定する。このとき、アウトレットボックス４は壁面に埋没して固定されていて、配線器具取付枠３は捻子孔４１と調整孔３２が一致するように被せ、捻子３４にてアウトレットボックス４に固定されている。そして、その配線器具取付枠３の上に取付補助枠２を固定孔２２と捻子孔３１の軸が一致するように被せて、取付捻子２６を固定孔２２に挿入し、捻子孔３１に締める。これによって取付補助枠２は壁面に固定される。
【００１７】
次に、化粧プレート１を図３のように化粧プレートの裏面と取付補助枠２と対向するように向け、Ｂ方向から壁面にむかって化粧プレート１を押し付けるようにして取付補助枠２に取り付ける。
【００１８】
取付補助枠２は、プラスチック等の弾力性のある材質でつくられ、変形孔２３をつけたことで、図１のＡ方向から圧力が加わると、上下の短周縁にある変形縁２７は応力によって変形し、取付補助枠２の長さは縮むようになっている。このため、化粧プレート１を図３のように押し付けることで、取付補助枠２のテーパー２４は化粧プレート１の点Ｄによって応力が加えられ、変形縁２７の変形で取付補助枠２の長さが縮み、取付補助枠２は係合部１２の中に押し込められる。
【００１９】
そして、圧縮された取付補助枠２は弾力性をもっているため、元の長さに戻ろうとする力が働く。このとき、化粧プレート１にはテーパー１３がつけられ、取付補助枠２にはテーパー２５がつけられているので、取付補助枠２の元に戻ろうとする力によって化粧プレート１は壁に引き寄せられる。また、取付補助枠２の厚みＤ１は係合部１２の深さＤ２よりも薄いことで、取付補助枠２は係合部１２の中で元に戻りきることがなく、常に元に戻ろうとする力が働くことになる。このことによって化粧プレート１は取付補助枠２に固定され、壁面に取り付けられる。
【００２０】
次に、修理等で化粧プレート１を外す場合について説明する。取付補助枠２につけた変形孔２３によってできた弾力性を利用し、化粧プレート１の下縁につけた差込口１４から棒状のもの、例えば、マイナスドライバー等の器具を差し込み、取付補助枠２の下部の変形縁２７を上方に持ち上げるようにして変形させ、取付補助枠２の長さを縮めると、係合していたテーパーが外れ、この状態で化粧プレート１の下部をもち手前に引くようにすると、化粧プレート１を取付補助枠２から外すことができる。
【産業上の利用可能性】
【００２１】
本発明では、化粧プレート、特にスイッチとコンセントの化粧プレートについて述べてきたが、それ以外にも屋内で固定される配線器具や警報機などのカバー、他にも壁の飾りにも利用できる可能性がある。
【図面の簡単な説明】
【００２２】
【図１】化粧プレート１を造営面に固定する前の状態を示す分解斜視図である。
【図２】化粧プレート１裏面の形状と取付補助枠２を示す斜視図である。
【図３】化粧プレート１に形成したテーパーと取付補助枠２の付近を示す拡大断面図である。
【図４】化粧プレート１と取付補助枠を壁面に固定した状態の断面図である。
【図５】従来例による化粧プレートの一例を示す斜視図である。
【符号の説明】
【００２３】
１  化粧プレート
２  取付補助枠
３  配線器具取付枠
４  アウトレットボックス
５  化粧プレート
６  プレート枠
１０  固定機構
１１  配線器具孔
１２  係合部
１３  テーパー
１４  差込口
２１  配線器具孔
２２  固定孔
２３  変形孔
２４  （第二の）テーパー
２５  （第一の）テーパー
２６  取付捻子
２７  変形縁
３１  捻子孔
３２  調整孔
３３  配線器具
３４  捻子
３５  配線器具固定枠
４１  捻子孔
５１  突起部
６１  捻子孔
【図１】
0004151049.tif 000002
【図２】
0004151049.tif 000003
【図３】
0004151049.tif 000004
【図４】
0004151049.tif 000005
【図５】
0004151049.tif 000006